(57)【要約】【課題】袋体の内部に発光体を収容せずとも、袋体に描かれた宣伝情報を十分なる光量をもって照明することができ、しかも構造も簡単で廉価に製作することが可能なた電飾看板を提供すること。【解決手段】宣伝情報が描かれると共に、圧気が所定量だけ注入されると所定の完成形態にまで膨張する樹脂シートを用いた光透過性の気密な袋体と、前記袋体の外部にあって、支柱を兼ねる直棒状発光体とを備え、前記袋体は、前記直棒状発光体を受け入れるためのトンネル状空所を残してその周囲を包囲するように形成されている。  【選択図】図１
2018036522.tif 000002
【特許請求の範囲】
【請求項１】
宣伝情報が描かれると共に、圧気が所定量だけ注入されると所定の完成形態にまで膨張する樹脂シートを用いた光透過性の気密な袋体と、
前記袋体の外部にあって、支柱を兼ねる直棒状発光体とを備え、
前記袋体は、前記直棒状発光体を受け入れるためのトンネル状空所を残してその周囲を包囲するように形成され、
前記トンネル状空所の内径は、圧気注入前の未だ前記袋体が膨張していない状態にあっては、前記直棒状発光体の外径よりも十分に大径となり、かつ圧気注入により前記袋体が前記完成形状にまで膨張した状態にあっては、前記直棒状発光体の外径よりも十分に小径となるように仕組まれている電飾看板。
【請求項２】
前記トンネル状空所を形成する前記樹脂シートには、前記直棒状発光体との熱融着を回避するための耐熱性が付与されている請求項１に記載の電飾看板。
【請求項３】
前記トンネル状通路を形成する前記樹脂シートには、前記直棒状発光体から発せられる光の光量や波長域を調整するための光学特性が付与されている請求項１に記載の電飾看板。
【請求項４】
前記袋体は、前記袋体を構成する樹脂シートを各要素部分に展開してなる複数の独立かつ平坦なシート片のうち隣接配置されるべきもの同士を溶接線を介して繋ぎ合わせてなる請求項１に記載の電飾看板。
【請求項５】
前記直棒状発光体は、透明な直棒状管体と、前記直棒状管体内にあって、その長手方向へと適当な間隔で配置された複数のランプとを包含する、請求項１に記載の電飾看板。
【請求項６】
請求項１に記載の電飾看板を構成する袋体。
【請求項７】
請求項１に記載の電飾看板を構成する直棒状発光体。
【請求項８】
請求項１に記載の電飾看板の製造方法であって、前記袋体を構成する樹脂シートを各要素部分に展開してなる複数の独立かつ平坦なシート片を用意するステップと、
前記複数のシート片のうち隣接配置されるべきもの同士を溶接線を介して繋ぎ合わせることにより前記袋体を完成するステップと、
圧気が未注入又は十分に注入されていない状態における前記袋体のトンネル状空所に直棒状発光体を挿入するステップと、
前記トンネル状通路に直棒状発光体が挿通された前記袋体にさらに圧気を注入して、前記袋体を前記所定の完成形態にまで膨張させたのちこれを封止することにより、前記トンネル状通路と前記直棒状発光体とを密着させるステップと、を包含する方法。
【請求項９】
前記直棒状発光体の断面形状及び前記トンネル状通路の断面形状はいずれも円形である、請求項１に記載の電飾看板。
【請求項１０】
前記直棒状発光体の一端部には、床面や壁面等の平坦な支持面に対して垂直姿勢で取り付けることが可能な取付具が設けられている、請求項１に記載の電飾看板。
【請求項１１】
前記直棒状発光体は、床面上を移動可能な台車上に垂直姿勢で取り付けられている、請求項１に記載の電飾看板。
【請求項１２】
前記複数のランプは、発光ダイオードランプであって、前記直管体内に長手方向へ沿って挿入固定された細長い支持板の両面に配置されている請求項５に記載の電飾看板。
【発明の詳細な説明】
【技術分野】
【０００１】
この発明は、電飾看板に係り、特に、光透過性の膨張可能な袋体に描かれた宣伝情報をその背後（内側）から照明するようにした電飾看板に関する。
【背景技術】
【０００２】
光透過性の膨張可能な袋体に描かれた宣伝情報をその背後（内側）から発光体で照明するようにした電飾看板は、従来より知られている（例えば、特許文献１参照）。すなわち、この電飾看板によれば、袋体に描かれた宣伝情報は、袋体の内部に配置され発光体によりその背後（内側）から照明される。
【先行技術文献】
【特許文献】
【０００３】
【特許文献１】実開昭６３−１６５６８６号公報
【発明の概要】
【発明が解決しようとする課題】
【０００４】
しかしながら、上述のような従来の電飾看板にあっては、袋体に描かれた宣伝情報は、袋体の内部に配置される発光体によりその背後（内側）から照明されるものであるから、使用可能な発光体としては、例えば同文献記載の光ファイバ先端部のように、袋体の内部への出し入れが容易な小型かつ簡単な構造のものに限られる。そのため、袋体の周面を均一に照明しようとすれば、発光体である光ファイバ先端部からの光をさらにレンズで拡散することが必要となるほか、照明に必要な十分なる光量を確保することも困難であり、結局、電飾看板としては殆ど実用に供し得ない。
【０００５】
この発明は、上述の問題点に着目してなされてものであり、その目的とするところは、袋体の内部に発光体を収容せずとも、袋体に描かれた宣伝情報を十分なる光量をもってその背後（内側）から照明することができ、しかも構造も簡単で廉価に製作することが可能な電飾看板を提供することにある。
【０００６】
この発明のさらに他の目的並びに作用効果については、明細書の以下の記述を参照することにより、当業者であれば容易に理解されるであろう。
【課題を解決するための手段】
【０００７】
上述の技術的課題は、以下の構成を有する電飾看板、電飾看板用の袋体、電飾看板用の発光体、及び電飾看板の製造方法により解決される。
【０００８】
すなわち、本発明に係る電飾看板は、宣伝情報が描かれると共に、圧気が所定量だけ注入されると所定の完成形態にまで膨張する樹脂シートを用いた光透過性の気密な袋体と、前記袋体の外部にあって、支柱を兼ねる直棒状発光体とを備える。前記袋体は、前記直棒状発光体を受け入れるためのトンネル状空所を残してその周囲を包囲するように形成されている。前記トンネル状空所の内径は、圧気注入前の未だ前記袋体が膨張していない状態にあっては、前記直棒状発光体の外径よりも十分に大径となり、かつ圧気注入により前記袋体が前記完成形状にまで膨張した状態にあっては、前記直棒状発光体の外径よりも十分に小径となるように仕組まれている。
【０００９】
このような構成によれば、トンネル状空所内に直棒状発光体を挿入した状態において、袋体に圧気を注入して、袋体を所定の完成形態にまで膨張させると、トンネル状空所の内径が狭められて内壁から締め付けられることにより、直棒状発光体はトンネル状空所内にしっかりと固定（グリップ）される。このとき、直棒状発光体は支柱も兼ねているため、袋体は直棒状発光体を介して、例えば、水平な床や垂直な壁に支持可能となる。一方、このとき、直棒状発光体は袋体の外部に位置するけれども、トンネル状空所は袋体に包囲される位置にあるため、直棒状発光体から発せられる光は、トンネル状空所を取り巻く樹脂シートを透過して、袋体に描かれた宣伝情報をその背後（内側）から照明する。一方、開栓により、袋体に満たされた圧気を開放すれば、トンネル状空所の内径は拡がるので、直棒状発光体を簡単にトンネル状空所から引き抜くことにより、電飾看板の解体や袋体の更新を簡単な作業で行うことができる。そのため、袋体の内部に発光体を収容せずとも、袋体に描かれた宣伝情報を十分なる光量をもって照明することができ、しかも構造も簡単で廉価に製作することが可能なた電飾看板を提供することができる。
【００１０】
好ましい実施の態様においては、前記トンネル状空所を形成する前記樹脂シートには、前記直棒状発光体との熱融着を回避するための耐熱性が付与されていてもよい。
【００１１】
このような構成によれば、直棒状発光体から発する熱により、トンネル状空所を形成する樹脂シートが直棒状発光体と融着して引き抜き不能となり、電飾看板の解体や袋体の更新に支障を来す自体を未然に防止することができる。
【００１２】
好ましい実施の態様においては、前記トンネル状空所を形成する前記樹脂シートには、前記直棒状発光体から発せられる光の光量や波長域を調整するための光学フィルタ特性が付与されていてもよい。
【００１３】
このような構成によれば、トンネル状空所を形成する前記樹脂シートの光学特性を適宜に調整することにより、直棒状発光体から発せられる光の光量や波長域を変更せずとも、袋体に描かれた宣伝情報を照明する光の光量や波長域を調整することが可能となり、より豊富なデザイン自由度を獲得することができる。
【００１４】
好ましい実施の態様においては、前記袋体は、前記袋体を構成する樹脂シートを各要素部分に展開してなる複数の独立かつ平坦なシート片のうち隣接配置されるべきもの同士を溶接線を介して繋ぎ合わせてなるものであってもよい。
【００１５】
このような構成によれば、任意の立体形状を有しかつ任意の宣伝情報が描かれた袋体を容易に製作することができる。
【００１６】
好ましい実施の態様によれば、前記直棒状発光体は、透明な直棒状管体と、前記直棒状管体内にあって、その長手方向へと適当な間隔で配置された複数のランプとを包含するものであってもよい。
【００１７】
このような構成によれば、透明な直棒状管体により支柱としての機能を保持しつつも、一連に配列された複数のランプによって任意の長さの直棒状発光体を製作することができる。
【００１８】
別の一面から見た本発明は、上述の構成を有する電飾看板を構成する袋体としても把握することができる。
【００１９】
別の一面から見た本発明は、上述の構成を有する電飾看板を構成する直棒状発光体としても把握することができる。
【００２０】
別の一面から見た本発明は、電飾看板の製造方法として把握することもできる。すなわち、この方法は、前記袋体を構成する樹脂シートを各要素部分に展開してなる複数の独立かつ平坦なシート片を用意するステップと、前記複数のシート片のうち隣接配置されるべきもの同士を溶接線を介して連結することにより前記袋体を完成するステップと、圧気が未注入又は十分に注入されていない状態における前記袋体のトンネル状空所に直棒状発光体を挿入するステップと、前記トンネル状空所に直棒状発光体が挿通された前記袋体にさらに圧気を注入して、前記袋体を前記所定の完成形態にまで膨張させたのち止栓することにより、前記トンネル状空所と前記直棒状発光体とを密着させるステップと、を包含するものである。
【００２１】
このような構成によれば、任意の立体形状を有する袋体を備えかつ袋体に描かれた宣伝情報を明るく照らすことが可能な電飾看板を簡単かつ低コストに製作可能となる。
【００２２】
以上説明した電飾看板において、前記直棒状発光体の断面形状及び前記トンネル状空所の断面形状がいずれも円形であれば、直棒状発光体とトンネル状空所との親和性が良好なものとなり、直棒状発光体はトンネル状空所内により安定に保持され、同時に、直棒状発光体から発せられる光は、より均一に袋体内へと分散される。
【００２３】
また、前記直棒状発光体の一端部には、床面や壁面等の平坦な支持面に対して垂直姿勢で取り付けることが可能な取付具が設けられていれば、宣伝情報が描かれた袋体を、直棒状発光体を介して、床や壁に対して垂直に取り付けることができる。
【００２４】
また、前記直棒状発光体は、床面上を移動可能な台車上に垂直姿勢で取り付けられていれば、宣伝情報が描かれた袋体を、直棒状発光体を介して、垂直姿勢を維持したまま、床や路上を移動させることができる。
【００２５】
また、前記複数のランプは、発光ダイオードランプであって、前記直棒状管体内に長手方向へ沿って挿入固定された細長い支持板の両面に配置されていれば、１８０度異なる２方向へと発せられた光を広範に分散することができる。
【発明の効果】
【００２６】
本発明によれば、袋体の内部に発光体を収容せずとも、袋体に描かれた宣伝情報を十分なる光量をもって照明することができ、しかも構造も簡単で廉価に製作することが可能なた電飾看板を提供することができる。
【図面の簡単な説明】
【００２７】
【図１】図１は、電飾看板の一例を示す外観斜視図である。
【図２】図２は、電飾看板の一例を示す外観斜視図である。
【図３】図３は、袋体の詳細説明図である。
【図４】図４は、袋体を構成する複数のシート片のそれぞれを部位別に示す説明図であえる。
【図５】図５は、直棒状発行体の一例を示す分解斜視図である。
【図６】図６は、直棒状発行体を構成するＬＥＤ素子列の取付状態を示す分解斜視図である。
【図７】図７は、細長状支持板の位置決め構造を示す説明図である。
【図８】図８は、電飾看板の他の一例を示す説明図である。
【図９】図９は、電飾看板の具体的な応用例を示す説明図（その１）である。
【図１０】図１０は、電飾看板の具体的な応用例を示す説明図（その２）である。
【発明を実施するための形態】
【００２８】
以下に、本発明に係る電飾看板の好適な実施の一形態を、添付の図面を参照しながら詳細に説明する。
【００２９】
［１．第１の実施形態］
［１．１  看板の全体構成］
まず、図１及び図２を参照しつつ、電飾看板１の全体構成について説明する。
【００３０】
図１は、電飾看板１の一例を示す外観斜視図である。同図から明らかな通り、電飾看板１は、支柱も兼ねた直棒状発光体３０と、圧気が注入されて膨張し直棒状発光体３０の上端部を締め付けるように包囲する略円筒状の先端部袋体１０と、圧気が注入されて膨張し直棒状発光体３０の周側面を締め付けるよう包囲する略円筒状の周側部袋体２０とから構成される。なお、周側部袋体２０は水平断面が円環状であって、その外径は、例えば、５００ｍｍ程度、その高さは、例えば、８００ｍｍ程度であってもよい。
【００３１】
先端部袋体１０及び周側部袋体２０は、いずれもポリウレタンを素材として構成されている。そのため、耐久性、耐気候性に優れるだけでなく、直棒状発光体３０がその発光により加熱した場合であっても、接触面における熱融着などが生じにくく、引き抜き不能となる虞が少なくなる。また、先端部袋体１０及び周側部袋体２０は、光透過性であり、その表面には広告・宣伝情報が印刷され、さらに中心部の直棒状発光体３０により内側から照らされている。そのため、暗がりや遠くからでも視認のしやすい電飾看板１を実現することができる。さらに、直棒状発光体３０は変更することなくそのままとして、先端部袋体１０と周側部袋体２０のみを取り換えることで、新たな広告・宣伝を行うことができるので、簡単な作業で安価に様々な広告・宣伝を行うことができる。なお、この種の看板は、用途によっては頻繁に（例えば、３ヶ月毎に）広告内容が変更されるが、先端部袋体１０及び周側部袋体２０のみを交換乃至使い捨てすることにより、低コストな運用が可能となる。
【００３２】
図２に示した電飾看板１の分解斜視図を参照しつつ、先端部袋体１０と、周側部袋体２０と、直棒状発光体３０との組み立ての詳細について説明する。
【００３３】
直棒状発光体３０は、発光素子集成体３０７をその中央に配し発光素子集成体３０７からの光を透過する断面円形状の筒体３０２と、筒体３０２の下端に配され筒体３０２を垂直に支持する円形フランジ状の取付具３０３と、筒体３０２の上端側の先端を保護する断面円形状の先端保護部材３０１とから構成されている。なお、発光素子集成体３０７は、電源線３０４を介して、外部電源（図示せず）と接続されている。また、筒体３０２の直径をＤ４、先端保護部材３０１の直径をＤ３、取付具３０３の小径筒部の直径をＤ５とする。後述するように、先端部袋体１０と周側部袋体２０とは、この直棒状発光体３０を締め付けるようにして、直棒状発光体３０へと固定される。
【００３４】
先端部袋体１０の底面１０２の中央には、入り口に多数の放射状閉塞片を備えた直径Ｄ６の円形の先端部袋体開口部１０３が設けられ、先端部袋体開口部１０３から垂直上方に向けて延び、貫通していない先端部袋体トンネル状空所１０１が設けられている。先端部袋体トンネル状空所１０１の内壁は、圧気注入により張り出して小径となり、中腹部付近において最も小径のＤ７となる。このとき、直径Ｄ６は、直棒状発光体３０の先端保護部材３０１の直径Ｄ３又は筒体３０２の直径Ｄ４よりも十分に大きいものの、直径Ｄ７は、直棒状発光体３０の先端保護部材３０１の直径Ｄ３又は筒体３０２の直径Ｄ４よりも十分に小さい。
【００３５】
このような構成によれば、先端部袋体トンネル状空所１０１に直棒状発光体３０の上端部を挿入した状態において、先端部袋体１０に圧気を注入して、先端部袋体１０を所定の完成形態にまで膨張させると、先端部トンネル状空所１０１の内径が狭められて内壁から締め付けられることにより、直棒状発光体３０は空所内にしっかりと固定（グリップ）される。また、先端部袋体１０に満たされた圧気を開放すれば、先端部袋体トンネル状空所１０１の内径は拡がるので、直棒状発光体３０を簡単に空所から引き抜くことができ、電飾看板１の解体や先端部袋体１０の更新を簡単な作業で行うこともできる。
【００３６】
また、周側部袋体２０の略楕円形上の天面２０２の中央には、入り口に多数の放射状閉塞片を備えた直径Ｄ１の円形の天面側開口部２０３が、周側部袋体２０の略楕円形状の底面２０５の中央には、入り口に多数の放射状閉塞片を備えた直径Ｄ１の円形の底面側開口部２０６が設けられ、天面側開口部２０３と底面側開口部２０６との間には、それらの間を結ぶ周側部袋体トンネル状空所２０１が設けられている。すなわち、周側部袋体２０は、広告・宣伝などが印刷される周側面２０４と、周側部袋体トンネル状空所２０１を構成する内周面とを有している。周側部袋体トンネル状空所２０１は、圧気注入により内周壁が張り出して小径となり、中腹部付近において最も小径のＤ２となる。このとき、直径Ｄ１は、直棒状発光体３０の先端保護部材３０１の直径Ｄ３、筒体３０２の直径Ｄ４又は取付具３０３の小径筒部の直径Ｄ５よりも十分に大きいものの、直径Ｄ２は、直棒状発光体３０の先端保護部材３０１の直径Ｄ３、筒体３０２の直径Ｄ４又は取付具３０３の小径筒部の直径Ｄ５よりも十分に小さい。
【００３７】
このような構成によれば、周側部袋体トンネル状空所２０１に直棒状発光体３０を挿入した状態において、周側部袋体２０に圧気を注入して、周側部袋体２０を所定の完成形態にまで膨張させると、周側部トンネル状空所２０１の内径が狭められて内壁から締め付けられることにより、直棒状発光体３０は空所内にしっかりと固定（グリップ）される。また、周側部袋体２０に満たされた圧気を開放すれば、周側部袋体トンネル状空所２０１の内径は拡がるので、直棒状発光体３０を簡単に空所から引き抜くことができ、電飾看板１の解体や周側部袋体２０の更新を簡単な作業で行うこともできる。
【００３８】
［１．２  袋体の構成］
次に、図３及び図４を参照しつつ、周側部袋体２０を例に、袋体の詳細構成について説明する。
【００３９】
図３は、周側部袋体２０の詳細説明図である。図３（ａ）は、圧気が注入されていない状態の折り畳まれた周側部袋体２０を示している。同図から明らかな通り、圧気が注入されていない状態において、周側部袋体２０は、コンパクトに折り畳むことができる。従って、周側部袋体２０は、嵩張ることがなく、持ち運びや流通の上で好適である。
【００４０】
また、この膨張していない状態において、Ｄ３〜Ｄ５の直径より十分に大きい直径Ｄ１を有する底面側開口部２０６及び天面側開口部２０３、その間にあって直径Ｄ１と同一又はそれ以上の内径を有する周側部袋体トンネル状空所２０１を通じて直棒状発光体３０を差し込めば、簡単に電飾看板１を組み立てることができる。
【００４１】
なお、上述の圧気の注入は、図３（ｂ）に示される通り、天面２０２に設けられた逆流防止弁付きの圧気注入部２０７を介して、図示しない手動又は電動のポンプにより行うことが可能である。
【００４２】
図４は、周側部袋体２０を構成する複数の平坦な樹脂製のシート片のそれぞれを部位別に示した説明図である。同図から明らかな通り、周側部袋体２０は、略楕円形状であって中心に直径Ｄ１の円形の天面側開口部２０３を有する天面シート２０２、略楕円形状であって中心に直径Ｄ１の円形の底面側開口部２０６を有する底面シート２０５、周側面２０４を構成する表面シート２０４１と裏面シート２０４２、及び、周側部袋体トンネル状空所２０１を構成する中パイプシート２０４３とを、溶接線を介して互いに繋ぎ合わせることにより形成される。この接合には例えば被加工体への熱影響の少ない高周波ウェルダー加工を用いることが好適である。いずれのシートも光透過性であり、周側部袋体トンネル状空所２０１に光源を配置した完成形態の周側部袋体２０を見た看者には、その全体が光って知覚される。なお、本実施形態においては、いずれのシートもポリウレタンを使用している。
【００４３】
中パイプシート２０４３の素材や厚さ、表面の物理的形状等は、広告・宣伝態様等に応じて任意に変更することが可能である。例えば、中パイプシート２０４３の素材や厚さを変更することにより、その透過光の光学（フィルタ）特性を変更させ、光源からの色を変更させることも可能である。また、中パイプシート２０４３の素材や厚さを変更することにより光源からの光量を調節することも可能である。さらに、中パイプシート２０４３の素材として耐熱性素材を採用したり、或いは表面に微小な凹凸を設ける表面加工処理を施すことにより、直棒状発光体３０の表面との間の熱融着を回避するよう構成してもよい。なお、中パイプシート２０４３のみならず、他の各シート２０４１、２０４２、２０２及び２０５にて同様のことを実現してもよい。
【００４４】
［１．３  直棒状発光体の構成］
次に、図５〜図７を参照しつつ、直棒状発光体３０の詳細構成について説明する。
【００４５】
図５は、直棒状発光体の一例を示す分解斜視図である。直棒状発光体３０は、細長い長方形の発光素子集成体３０７と、発光素子集成体３０７を中央に配して包囲し光を透過する直径Ｄ４の断面円形状の筒体３０２と、発光素子集成体３０７の上下端に配置され筒体３０２内に圧入されて発光素子集成体３０７を筒体３０２へと保持する上端部保持部材３０５及び下端部保持部材３０６、筒体３０２の上端側の先端を保護する直径Ｄ３の断面円形状の先端保護部材３０１、筒体３０２の下端に配され筒体３０２を垂直に支持する外形Ｄ５の小径筒部を有する円形フランジ状の取付具３０３とから構成されている。なお、いずれの部材も所定の樹脂などにより形成され、すなわち、直棒状発光体３０は筒体３０２を中心として支持柱としても機能する。また、ここでは取付具３０３は垂直に筒体３０２を支持することとしたが、例えば、取付具３０３を壁面などに取り付け、当該取付具の先に筒体３０２を取り付けることとしてもよく、その場合、筒体３０２は床面に対して略水平となり、それを包囲する袋体も床面に対して略水平に配置される。
【００４６】
図６は、直棒状発光体３０の光源部分に相当する発光素子集成体３０７の分解斜視図である。発光素子集成体３０７は、細長状支持板３０８の両面に、ＬＥＤ素子列テープ３１０ａ、３１０ｂと接合板３０９ａ、３０９ｂとを接着した集成体を、各固定孔３２０、３２２、３２６、３２１、３２４、３２７を通じて、ボルト３１６、３１８とナット３１７、３１９を用いて固定することにより組み立てられる。
【００４７】
ＬＥＤ素子列テープ３１０ａ、３１０ｂは、この例にあっては、３つのＬＥＤ３１２と２つのＬＥＤ駆動回路３１３とを交互に配置して構成される単位ブロック３１１を、２つの接触子３１４を介して、複数個連接することにより構成されており、各単位ブロック３１１の間には切れ目が設けられている。なお、端部においては２つの接触子３１４は、夫々、電源と接続される接続線３１５と結合している。このような構成によれば、ＬＥＤ素子列テープ３１０ａ、３１０ｂは、切れ目において容易に切ることができるので、任意の長さに調節することができる。これにより、比較的容易に種々の長さの発光素子集成体３０７を製造することができる。
【００４８】
図７は、筒体３０２の端部における細長支持板３０８の位置決め構造を示す説明図である。同図は、筒体３０２の上端から覗いている細長支持板３０８の端部を示している。細長支持板３０８は、上端部保持部材３０５の中央の長方形の溝に保持され、かつ、細長支持板３０８自身は、筒体３０２の内部に圧入されている。このような構造によれば、発光素子集成体３０７を安定して筒体３０２の中央に配置することができ、これにより、表裏両面に対して光を照射することができる。
【００４９】
このような構成によれば、ＬＥＤ３１２が、筒体３０２の内部において、前記筒体３０２の長手方向へ沿って挿入固定された細長支持板３０８の両面に配置されているので、１８０度異なる２方向へと光を発することができ、これにより光を広範に分散することができる。
【００５０】
以上の構成によれば、トンネル状空所２０１内に直棒状発光体３０を挿入した状態において、袋体２０に圧気を注入して、袋体２０を所定の完成形態にまで膨張させると、トンネル状空所２０１の内径が狭められて内壁から締め付けられることにより、直棒状発光体３０はトンネル状空所２０１内にしっかりと固定（グリップ）される。このとき、直棒状発光体３０は支柱も兼ねているため、袋体２０は直棒状発光体３０を介して、例えば、水平な床や垂直な壁に支持可能となる。一方、このとき、直棒状発光体３０は袋体の外部に位置するけれども、トンネル状空所２０１は袋体に包囲される位置にあるため、直棒状発光体３０から発せられる光は、トンネル状空所２０１を取り巻く樹脂シート２０４３を透過して、袋体２０に描かれた宣伝情報をその背後（内側）から照明する。
【００５１】
一方、開栓（図３の符号２０７参照）により、袋体２０に満たされた圧気を開放すれば、トンネル状空所２０１の内径は拡がるので、直棒状発光体３０を簡単にトンネル状空所２０１から引き抜くことにより、電飾看板１の解体や袋体２０の更新を簡単な作業で行うことができる。そのため、袋体２０の内部に発光体を収容せずとも、袋体に描かれた宣伝情報を十分なる光量をもって照明することができ、しかも構造も簡単で廉価に製作することが可能なた電飾看板を提供することができる。
【００５２】
［２．  他の実施形態］
［２．１  袋体の形状の変形例］
第１の実施形態においては、周側部袋体２０の膨張時の断面形状は、略楕円形状であり、表面と裏面にそれぞれ広告・宣伝情報を印刷していた。しかしながら、本発明はこのような構成に限定されない。従って、例えば、図８に示す通り、電飾看板４０の周側部袋体５０の断面形状を略円形状としてもよい。
【００５３】
図８から明らかな通り、周側部袋体５０の周側面５０４には、全周にわたって種々の広告情報５０４１が印刷されており、各広告・宣伝情報５０４１は、トンネル状空所２０１に配置された直棒状発光体３０により照らされている。なお、第１の実施形態と同一の構成については、同一の符号が付されている。
【００５４】
このような構成によれば、周側部袋体５０が断面円形状であることから、あらゆる角度から広告情報５０４１を視認することができる電飾看板４０を提供することができる。また、周側部袋体５０が断面円形状であることから、屋外に置いても風などに強い電飾看板４０とすることができる。
【００５５】
［２．２  具体的な応用例］
第１の実施形態においては、所定の完成形態のときの周側部袋体５０の形状を略円柱状として、その側面に広告・宣伝情報を印刷する構成とした。しかしながら、本発明はこのような構成に限定されない。従って、例えば、所定の完成形態のときの袋体の形状そのものを広告・宣伝に関する立体形状とすることもできる。
【００５６】
図９は、パンに関する広告・宣伝を表示した電飾看板６０の外観斜視図である。同図から明らかな通り、図示しない直棒状発光体の周囲には、周側部を締め付けパンの形状を有し前面８２に「ＢＡＫＥＲＹ」の文字を表示する周側部袋体８０が固定されており、また、その先端部には、先端部を締め付ける調理帽の頭頂部７１と頭周部７２とを模した形状を有し頭周部７２の前面に「ＢＡＫＥＲＹ」の文字を表示する先端部袋体７０が固定されている。すなわち、トンネル状空所２０１に配置された直棒状発光体３０が光ることにより、周側部袋体８０と、周側部袋体８０の上面８１に載置するように配置された先端部袋体７０とは、内側から照らされることとなる。
【００５７】
なお、図示しない直棒状発光体３０の下端には、第１の実施形態における取付具に変えて台車９０が取り付けられている。台車９０は、基台９２と、基台９２の下面側の四隅に設けられたキャスタ９１とから構成される。すなわち、電飾看板８０は床面上を移動可能に構成されているため、看板配置を容易に変更することができる。
【００５８】
このような構成によれば、直棒状発光体３０により内側から照らされていることにより、暗がりや遠くからでも視認が容易なだけでなく、同時に、高い設計自由度を有する袋体も看取されるので、高い広告・宣伝効果を期待することができる。
【００５９】
また、図１０は、魚料理に関する広告を表示した電飾看板１００の外観斜視図である。同図から明らかなとおり、図示しない直棒状発光体３０の周囲には、周側部を締め付け断面楕円形状を有しその前面１２２に「新鮮漁場  水産  しんばし」の文字を表示する周側部袋体１２０が固定されており、また、その先端部には、先端部を締め付け魚を模した形状を有する先端部袋体１１０が固定されている。すなわち、内部に配置された直棒状発光体３０が光ることにより、周側部袋体１２０と、周側部袋体１２０の上面１２１に載置するように配置された先端部袋体１１０とは、内側から照らされることとなる。
【００６０】
なお、図示しない直棒状発光体３０の下端には、第１の実施形態における取付具に変えて台車９０が取り付けられている。台車９０は、基台９２と、基台９２の下面側の四隅に設けられたキャスタ９１とから構成される。すなわち、電飾看板１００は床面上を移動可能に構成されているため、看板配置を容易に変更することができる。
【００６１】
このような構成によれば、直棒状発光体３０により内側から照らされていることにより、暗がりや遠くからでも視認が容易なだけでなく、同時に、高い設計自由度を有する袋体も看取されるので、高い広告・宣伝効果を期待することができる。
【産業上の利用可能性】
【００６２】
本発明によれば、袋体の内部に発光体を収容せずとも、袋体に描かれた宣伝情報を十分なる光量をもって照明することができ、しかも構造も簡単で廉価に製作することが可能な電飾看板を提供することができる。
【符号の説明】
【００６３】
１    電飾看板
１０    先端部袋体
１０１    先端部袋体トンネル状空所
１０２    底面
１０３    先端部袋体開口部
２０    周側部袋体
２０１    周側部袋体トンネル状空所
２０２    天面
２０３    天面側開口部
２０４    周側面
２０４１    表面シート
２０４２    裏面シート
２０４３    中パイプシート
２０５    底面
２０６    底面側開口部
２０７    圧気注入部
３０    直棒状発光体
３０１    先端保護部材
３０２    筒体
３０３    フランジ状取付具
３０４    電源線
３０５    上端部保持部材
３０６    下端部保持部材
３０７    発光素子集成体
３０８    細長状支持板
３０９ａ    接合板
３０９ｂ    接合板
３１０ａ    ＬＥＤ素子列テープ
３１０ｂ    ＬＥＤ素子列テープ
３１１    単位ブロック
３１２    ＬＥＤ
３１３    ＬＥＤ駆動回路
３１４    接触子
３１５    接続線
３１６    ボルト
３１７    ナット
３１８    ボルト
３１９    ナット
３２０    固定孔
３２１    固定孔
３２２    固定孔
３２３    固定孔
３２４    固定孔
３２５    固定孔
３２６    固定孔
３２７    固定孔
４０    電飾看板
５０    周側部袋体
５０２    天面
５０３    天面側開口部
５０４    周側面
５０４１    広告情報
５０５    底面
５０７    圧気注入部
６０    電飾看板
７０    先端部袋体
７１    頭頂部
７２    頭周部
８０    周側部袋体
８１    上面
８２    前面
９０    台車
９１    キャスタ
９２    基台
１００    電飾看板
１１０    先端部袋体
１２０    周側部袋体
１２１    上面
１２２    前面
【図１】
2018036522.tif 000003
【図２】
2018036522.tif 000004
【図３】
2018036522.tif 000005
【図４】
2018036522.tif 000006
【図５】
2018036522.tif 000007
【図６】
2018036522.tif 000008
【図７】
2018036522.tif 000009
【図８】
2018036522.tif 000010
【図９】
2018036522.tif 000011
【図１０】
2018036522.tif 000012